(57)【要約】【課題】解体することなくパチンコ遊技機及びスロットマシンのどちらも設置することができるとともに、簡易な構成で遊技球及びメダルを回収することができる島設備を提供する。【解決手段】一方の島端から他方の島端に向かって延設され、パチンコ遊技機Ｐ及びスロットマシンＳから排出される遊技球及びメダルを混在させつつ回収可能な回収手段４と、回収手段４で回収された遊技球とメダルとを分別し得る分別手段５とを具備するとともに、分別手段５は、上面に遊技球及びメダルを載置可能とされ、遊技球が落下可能、且つ、メダルが落下不可能な落下孔を有した円板状のディスク２２と、該ディスク２２を回転させ得るモータ２３と、ディスク２２が回転した際、その遠心力で当該ディスク２２の外周側に移動したメダルが通過可能、且つ、遊技球が通過不可能な通過孔２５ａとを具備したものである。【選択図】図２７
2015123258.tif 000002
【特許請求の範囲】
【請求項１】
パチンコ遊技機及びスロットマシンから成る遊技機を任意選択的に設置可能な島設備であって、
一方の島端から他方の島端に向かって延設され、前記パチンコ遊技機及びスロットマシンから排出される遊技球及びメダルを混在させつつ回収可能な回収手段と、
前記回収手段で回収された遊技球とメダルとを分別し得る分別手段と、
を具備するとともに、前記分別手段は、
上面に遊技球及びメダルを載置可能とされ、遊技球が落下可能、且つ、メダルが落下不可能な落下孔を有した円板状のディスクと、
該ディスクを回転させ得る駆動源と、
前記ディスクが回転した際、その遠心力で当該ディスクの外周側に移動したメダルが通過可能、且つ、遊技球が通過不可能な通過孔と、
を具備したことを特徴とする島設備。
【請求項２】
前記落下孔から落下した遊技球を排出する遊技球排出路と、
前記通過孔を通過したメダルを排出するメダル排出路と、
を具備したことを特徴とする請求項１記載の島設備。
【請求項３】
前記分別手段で分別されて前記遊技球排出路から排出された遊技球を揚送する遊技球揚送手段と、
該遊技球揚送手段で揚送された遊技球を前記パチンコ遊技機に補給する遊技球補給手段と、
前記分別手段で分別されて前記メダル排出路から排出されたメダルを揚送するメダル揚送手段と、
該メダル揚送手段で揚送されたメダルを前記スロットマシンに補給するメダル補給手段と、
を具備したことを特徴とする請求項１又は請求項２記載の島設備。
【発明の詳細な説明】
【技術分野】
【０００１】
本発明は、パチンコ遊技機及びスロットマシンから成る遊技機を任意選択的に設置可能な島設備に関するものである。
【背景技術】
【０００２】
パチンコ遊技機の島設備は、パチンコ店内ホールに設置され、複数のパチンコ遊技機が横並びに配設されるとともに、それらパチンコ遊技機に対して遊技球を補給するための補給レーン（遊技球補給手段）及び当該パチンコ遊技機から遊技球を回収するための回収レーン（遊技球回収手段）が配設されている。一方、パチスロ等のスロットマシンの島設備は、パチンコ遊技機の島設備と同様、パチンコ店内ホールに設置され、複数のスロットマシンが横並びに配設されるとともに、それらスロットマシンに対してメダルを補給するための補給コンベア（メダル補給手段）及び当該スロットマシンからメダルを回収するための回収コンベア（メダル回収手段）が配設されている。なお、かかる先行技術は、文献公知発明に係るものでないため、記載すべき先行技術文献情報はない。
【発明の概要】
【発明が解決しようとする課題】
【０００３】
しかしながら、上記従来の島設備においては、以下の如き問題があった。
パチンコ遊技機が設置された島設備をスロットマシンが設置された島設備に変更する場合、パチンコ遊技機とスロットマシンとでは外観や付帯設備、それに使用される遊技媒体の種類が遊技球とメダルとで異なるため、島設備を解体して新たに島設備を設置する必要があり、当該変更に伴うコストや工事期間を要するといった問題があった。
【０００４】
しかるに、パチンコ店内のホールの有効利用や当該ホールにおけるレイアウトの自由度の向上等を目的として、１つの島設備にパチンコ遊技機とスロットマシンとを任意選択的に設置するニーズが高まりつつあることから、本出願人は、かかるニーズに対応することを鋭意検討するに至った。例えば、パチンコ遊技機とスロットマシンとを任意選択的に設置させるべく、遊技球回収手段及びメダル回収手段をそれぞれ配設した場合、遊技球回収手段にメダルが混ざったり、或いはメダル回収手段に遊技球が混ざったりするのを防止するための手段が必要とされ、構成が複雑になってしまうという問題があった。
【０００５】
本発明は、このような事情に鑑みてなされたもので、解体することなくパチンコ遊技機及びスロットマシンのどちらも設置することができるとともに、簡易な構成で遊技球及びメダルを回収することができる島設備を提供することにある。
【課題を解決するための手段】
【０００６】
請求項１記載の発明は、パチンコ遊技機及びスロットマシンから成る遊技機を任意選択的に設置可能な島設備であって、一方の島端から他方の島端に向かって延設され、前記パチンコ遊技機及びスロットマシンから排出される遊技球及びメダルを混在させつつ回収可能な回収手段と、前記回収手段で回収された遊技球とメダルとを分別し得る分別手段とを具備するとともに、前記分別手段は、上面に遊技球及びメダルを載置可能とされ、遊技球が落下可能、且つ、メダルが落下不可能な落下孔を有した円板状のディスクと、該ディスクを回転させ得る駆動源と、前記ディスクが回転した際、その遠心力で当該ディスクの外周側に移動したメダルが通過可能、且つ、遊技球が通過不可能な通過孔とを具備したことを特徴とする。
【０００７】
請求項２記載の発明は、請求項１記載の島設備において、前記落下孔から落下した遊技球を排出する遊技球排出路と、前記通過孔を通過したメダルを排出するメダル排出路とを具備したことを特徴とする。
【０００８】
請求項３記載の発明は、請求項１又は請求項２記載の島設備において、前記分別手段で分別されて前記遊技球排出路から排出された遊技球を揚送する遊技球揚送手段と、該遊技球揚送手段で揚送された遊技球を前記パチンコ遊技機に補給する遊技球補給手段と、前記分別手段で分別されて前記メダル排出路から排出されたメダルを揚送するメダル揚送手段と、該メダル揚送手段で揚送されたメダルを前記スロットマシンに補給するメダル補給手段とを具備したことを特徴とする。
【発明の効果】
【０００９】
請求項１の発明によれば、一方の島端から他方の島端に向かって延設され、パチンコ遊技機及びスロットマシンから排出される遊技球及びメダルを混在させつつ回収可能な回収手段と、回収手段で回収された遊技球とメダルとを分別し得る分別手段とを具備するとともに、分別手段は、上面に遊技球及びメダルを載置可能とされ、遊技球が落下可能、且つ、メダルが落下不可能な落下孔を有した円板状のディスクと、該ディスクを回転させ得る駆動源と、ディスクが回転した際、その遠心力で当該ディスクの外周側に移動したメダルが通過可能、且つ、遊技球が通過不可能な通過孔とを具備したので、遊技球とメダルとを混在させて回収することができるとともに、遊技球及びメダルを一つの回収手段で回収することができ、且つ、ディスクによって遊技球とメダルとを効率よく分別することができる。したがって、解体することなくパチンコ遊技機及びスロットマシンのどちらも設置することができるとともに、簡易な構成で遊技球及びメダルを回収した後、効率よく遊技球とメダルとを分別することができる。
【００１０】
請求項２の発明によれば、落下孔から落下した遊技球を排出する遊技球排出路と、通過孔を通過したメダルを排出するメダル排出路とを具備したので、分別手段で分別した遊技球及びメダルを確実に振り分けることができる。
【００１１】
請求項３の発明によれば、分別手段で分別されて遊技球排出路から排出された遊技球を揚送する遊技球揚送手段と、遊技球揚送手段で揚送された遊技球をパチンコ遊技機に補給する遊技球補給手段と、分別手段で分別されてメダル排出路から排出されたメダルを揚送するメダル揚送手段と、該メダル揚送手段で揚送されたメダルをスロットマシンに補給するメダル補給手段とを具備したので、分別手段で分別された遊技球及びメダルをそれぞれ確実且つ円滑にパチンコ遊技機及びスロットマシンに補給することができる。
【図面の簡単な説明】
【００１２】
【図１】本発明の実施形態に係る島設備を示す全体正面図
【図２】同島設備を示す横断面図（幅方向断面図）
【図３】同島設備における載置手段を示す全体正面図
【図４】同載置手段（載置台が前後方向第１位置にある状態）を示す縦断面図
【図５】同載置手段（載置台が前後方向第２位置にある状態）を示す縦断面図
【図６】同島設備における案内部を示す断面図
【図７】同島設備における操作手段を示す４面図
【図８】同操作手段を示す側面図であって、（ａ）操作手段が係止位置にある状態を示す側面図（ｂ）操作手段が解除位置にある状態を示す側面図
【図９】同操作手段の係止部（載置手段が第２位置にある状態）が被係止部に係止した状態を示す側面図
【図１０】同操作手段の係止部（載置手段が第２位置にある状態）が被係止部に係止した状態を示す正面図
【図１１】同操作手段の係止部（載置手段が第１位置にある状態）が被係止部に係止した状態を示す側面図
【図１２】同操作手段の係止部（載置手段が第１位置にある状態）が被係止部に係止した状態を示す正面図
【図１３】同島設備におけるガタ防止手段を示す３面図
【図１４】同ガタ防止手段が取り付けられた状態の載置手段を示す側面図
【図１５】同ガタ防止手段の操作状態を示す模式図
【図１６】同島設備における載置手段（第１位置にある状態）の側板部と柱部に形成されたストッパとの関係を示す模式図
【図１７】同島設備における載置手段（第２位置にある状態）の側板部と柱部に形成されたストッパとの関係を示す模式図
【図１８】同載置手段における載置台を示す平面図及び背面図
【図１９】図１８におけるＸＩＸ−ＸＩＸ線断面図
【図２０】同島設備における他の載置手段を示す全体正面図
【図２１】同島設備における回収手段を示す正面図
【図２２】同島設備における回収手段を示す平面図
【図２３】同島設備における回収手段を示す断面図
【図２４】同島設備における回収手段の駆動ローラを示す正面図及び側面図
【図２５】同島設備における回収手段の従動ローラを示す正面図及び側面図
【図２６】同島設備における遊技球揚送手段及びメダル揚送手段を示す模式図
【図２７】同島設備における分別手段を示す正面図
【図２８】同分別手段を示す平面図
【図２９】同島設備における遊技球補給手段及びメダル補給手段を示す平面図
【図３０】同島設備における遊技球補給手段及びメダル補給手段を示す断面図
【図３１】同島設備における遊技球補給手段における第１案内手段を示す正面図
【図３２】同島設備におけるメダル補給手段における第２案内手段を示す正面図
【発明を実施するための形態】
【００１３】
以下、本発明の実施形態について図面を参照しながら具体的に説明する。
本実施形態に係る島設備は、パチンコ遊技店内のホール等、遊技場の床に固定されるもので、図１、２に示すように、遊技球を遊技媒体として使用して遊技するパチンコ遊技機Ｐと、メダルを遊技媒体として使用して遊技するスロットマシンＳ（所謂「パチスロ」と称される遊技機）とから成る遊技機を任意選択的に設置可能とされるとともに、載置手段１と、回収手段４と、分別手段５と、遊技球案内手段６と、メダル案内手段８と、遊技球補給手段１１と、メダル補給手段１２、操作手段１４とを有して構成されている。なお、図中符号１３は、遊技者が着座するための遊技機用椅子を示している。
【００１４】
本実施形態に係る島設備は、床面Ｚに固設されたフレーム部Ｆを筐体として構成されており、当該フレーム部Ｆの所定位置には、複数の柱部Ｈ１〜Ｈ５が取り付けられるとともに、その隣接する柱部Ｈの間の部位には、載置台３を有した載置手段１が取り付けられている。かかる載置手段１は、図３〜５に示すように、左右一対の側板部２ａと、当該側板部２ａを連結する下板部２ｃ及び上板部２ｂとから成る枠体２を有し、載置台３が当該枠体２の所定部位に取り付けられて構成されている。
【００１５】
枠体２は、一対の側板部２ａと、一対の側板部２ａの下部を互いに連結する下板部２ｃと、一対の側板部２ａの上部を互いに連結する上板部２ｂとにより略ロ字状に構成されるとともに、載置台３を取り付ける位置には固定板部２ｄが固定されている。かかる固定板部２ｄは、上板部２ｂ及び下板部２ｃと同様、一対の側板部２ａを互いに連結するものとされるとともに、載置台３を前後方向第１位置Ｐｂ（図４参照）と前後方向第２位置Ｓｂ（図５参照）との何れかで固定可能とされている。
【００１６】
より具体的には、本実施形態に係る載置台３は、図１８、１９に示すように、下側板部３ａと上側板部３ｂとを接合（接着等）させて成るもので、所定位置には、一端側に前進位置用ボルト挿通位置ｈ１及び他端側に後退位置用ボルト挿通位置ｈ２がそれぞれ設定された長孔ｈが形成されている。なお、同図中符号ｂは、下側板部３ａの突端部及び上面と、上側板部３ｂの突端部及びその近傍を覆って保護する金属製板材を示している。
【００１７】
そして、固定板部２ｄには、載置台３の前進位置用ボルト挿通位置ｈ１又は後退位置用ボルト挿通位置ｈ２と合致し得るボルト孔がそれぞれ形成されており、図４に示すように、前進位置用ボルト挿通位置ｈ１と固定板部２ｄのボルト孔を合致させつつボルトＢ３を螺合させることにより、載置台３を前後方向第１位置Ｐｂにて固定板部２ｄに固定させ得るとともに、図５に示すように、後退位置用ボルト挿通位置ｈ２と固定板部２ｄのボルト孔を合致させつつボルトＢ３を螺合させることにより、載置台３を前後方向第２位置Ｓｂにて固定板部２ｄに固定させ得るよう構成されている。
【００１８】
すなわち、本実施形態に係る載置台３は、載置された遊技機（パチンコ遊技機Ｐ又はスロットマシンＳ）に応じて前後方向（図３における紙面垂直方向）に移動して所定位置にて固定可能とされており、パチンコ遊技機Ｐが載置された状態の前後方向第１位置Ｐｂ（図４参照）と、スロットマシンＳが載置された状態の前後方向第２位置Ｓｂ（図５参照）との間で移動可能とされるとともに、当該前後方向第１位置Ｐｂの方が前後方向第２位置Ｓｂより前方の位置（遊技者側に突出した位置）に設定されている。
【００１９】
また、載置手段１の枠体２を構成する上板部２ｂは、載置台３に載置された遊技機（パチンコ遊技機Ｐ又はスロットマシンＳ）の上部を支持し得る位置に設定されている。しかして、本実施形態に係る載置手段１は、枠体２に対して載置台３が前後に移動可能とされ、かつ、当該載置台３に載置された遊技機の上部を上板部２ｂにて支持するものとされている。これにより、載置台３上に載置された遊技機（パチンコ遊技機Ｐ又はスロットマシンＳ）を枠体２に対して確実かつ安定して固定することができる。
【００２０】
さらに、載置手段１の枠体２を構成する側板部２ａは、図１６、１７に示すように、柱部（Ｈ１〜Ｈ５）に対して幅寸法が異なる幅狭部２ａａ（幅寸法ｔ１）と幅広部２ａｂ（幅寸法ｔ２）とを有し（具体的には、幅寸法ｔ１＜幅寸法ｔ２）、その幅狭部２ａａと幅広部２ａｂとの間の境界に段部２ａｃが形成されている。そして、側板部２ａにおける幅広部２ａｂは、その幅寸法ｔ２が案内部Ｈ２ａの幅寸法より若干小さく設定されるとともに、幅狭部２ａａには、ガタ防止手段１５が配設されている。
【００２１】
一方、載置手段１が取り付けられる柱部（Ｈ１〜Ｈ５）には、図６に示すように、載置手段１を構成する枠体２の上下方向に対する移動を案内する案内部Ｈ２ａが形成されている。なお、柱部Ｈ２に形成された案内部Ｈ２ａについて説明するが、他の柱部に形成された案内部も同様の構成である。案内部Ｈ２ａは、柱部（Ｈ１〜Ｈ５）の内壁に上下方向に延びて形成された断面コ字状の溝形状から成り、この溝形状に枠体２の側板部２ａが上下方向に移動可能に嵌合されることにより、枠体２の上下方向に対する移動を案内し得るようになっている。しかして、載置台３は、載置された遊技機（載置しようとするパチンコ遊技機Ｐ又はスロットマシンＳ）に応じて柱部（Ｈ１〜Ｈ５）に沿って上下方向に移動可能とされているのである。
【００２２】
また、本実施形態に係る載置台３は、図２に示すように、枠体２と共に上下方向に移動可能とされ、パチンコ遊技機Ｐが載置された状態の第１位置Ｐａと、スロットマシンＳが載置された状態の第２位置Ｓａとの間で移動可能とされるとともに、当該第１位置Ｐａの方が第２位置Ｓａより高い位置に設定されている。すなわち、柱部（Ｈ１〜Ｈ５）の内壁には、上下一対のボルト及びナット等から成るボス部Ｂ１、Ｂ２（被係止部）（図１０、１２参照）が突出形成されており、載置台３を上側のボス部Ｂ１に係合することにより、パチンコ遊技機Ｐが載置された状態の第１位置Ｐａにて載置手段１を固定させ得るとともに、載置台３を下側のボス部Ｂ２に係合することにより、スロットマシンＳが載置された状態の第２位置Ｓａにて載置手段１を固定させ得るようになっている。
【００２３】
本実施形態に係る載置手段１には、その下板部２ｃの両端部（左右両端部）にそれぞれ操作手段１４が取り付けられている。かかる操作手段１４は、柱部（Ｈ１〜Ｈ５）に形成されたボス部Ｂ１又はボス部Ｂ２に係止して載置手段１を第１位置Ｐａ又は第２位置Ｓａにて固定させるとともに、所定の操作によって当該係止を解除して当該載置手段１を柱部（Ｈ１〜Ｈ５）に対して上下方向に移動可能とさせ得るものとされている。
【００２４】
より具体的には、操作手段１４は、図７に示すように、下板部２ｃの下面に固定される筐体Ｋと、係止部１４ａと、レバー部１４ｂと、付勢手段としてのコイルスプリング１４ｃとから主に構成されている。係止部１４ａは、金属製板状部材の一端をプレスにて折り曲げして形成して得られた部位から成り、図９〜１２で示すように、ボス部Ｂ１及びボス部Ｂ２と係合し得る弧状の切欠き１４ａａ、１４ａｂを有している。
【００２５】
しかして、本実施形態に係る操作手段１４（具体的には、係止部１４ａが形成された金属製板状部材）は、図８（ａ）に示すように、係止部１４ａをボス部Ｂ１又はボス部Ｂ２（被係止部）に係止させて載置手段１を固定させる係止位置と、図８（ｂ）に示すように、当該係止部１４ａのボス部Ｂ１又はボス部Ｂ２（被係止部）に対する係止を解除する解除位置との間で移動し得るよう構成されている。
【００２６】
レバー部１４ｂは、一端に係止部１４ａが形成された金属製板状部材の他端をプレスにて折り曲げ形成して得られた部位から成り、操作者が把持し、図８（ａ）中矢印方向（左方向）に引っ張り操作可能なものである。そして、かかるレバー部１４ｂに対する引っ張り操作によって、操作手段１４（係止部１４ａが形成された金属製板状部材）は、図８（ａ）で示す係止位置から図８（ｂ）で示す解除位置に移動可能とされている。すなわち、レバー部１４ｂを引っ張り操作することにより、係止部１４ａ及びレバー部１４ｂが形成された金属製板状部材は、筐体Ｋに対して移動し、係止位置から解除位置に至るよう構成されているのである。
【００２７】
筐体Ｋには、下方に突出した突出部１４ｄが固定されており、この突出部１４ｄとレバー部１４ｂとの間には、コイルスプリング１４ｃ（付勢手段）が取り付けられている。すなわち、コイルスプリング１４ｃは、その一端が突出部１４ｄに取り付けられるとともに、他端がレバー部１４ｂに取り付けられており、操作手段１４（係止部１４ａが形成された金属製板状部材）を解除位置（図８（ｂ）参照）から係止位置（図８（ａ）参照）に付勢し得るようになっている。これにより、レバー部１４ｂに対する引っ張り操作によって、操作手段１４（係止部１４ａが形成された金属製板状部材）を係止位置から解除位置に移動させた後、操作する手を緩めれば、操作手段１４（係止部１４ａが形成された金属製板状部材）が自然と（自動的に）解除位置から係止位置に戻るようになっている。
【００２８】
ところで、柱部（Ｈ１〜Ｈ５）におけるボス部Ｂ１及びボス部Ｂ２が形成された部位には、図９〜１２に示すように、載置手段１の柱部（Ｈ１〜Ｈ５）に対する係止を解除するのを規制する規制手段Ｃ１、Ｃ２が取り付けられている。かかる規制手段Ｃ１、Ｃ２は、例えば金属製板状部材をプレスにて折り曲げ加工して得られたもので、操作手段１４の操作（レバー部１４ｂに対する引っ張り操作）を規制し得るよう構成されている。
【００２９】
具体的には、載置手段１を第２位置Ｓａで固定させるべく、操作手段１４の係止部１４ａを下側のボス部Ｂ２に係止させた状態とすると、図９に示すように、係止部１４ａは、柱部（Ｈ１〜Ｈ５）と規制手段Ｃ２との間の隙間に入り込んだ状態とされる。このとき、図１０に示すように、ハッチングで示す規制範囲Ｃ２ａにおいて係止部１４ａと規制手段Ｃ２が重なり合うこととなり、この状態でレバー部１４ｂを引っ張り操作しても、係止部１４ａの移動が規制手段Ｃ２の規制範囲Ｃ２ａによって規制されるようになっている。
【００３０】
また、載置手段１を第１位置Ｐａで固定させるべく、操作手段１４の係止部１４ａを上側のボス部Ｂ１に係止させた状態とすると、図１１に示すように、係止部１４ａは、柱部（Ｈ１〜Ｈ５）と規制手段Ｃ１との間の隙間に入り込んだ状態とされる。このとき、図１２に示すように、ハッチングで示す規制範囲Ｃ１ａ、Ｃ１ｂにおいて係止部１４ａと規制手段Ｃ１が重なり合うこととなり、この状態でレバー部１４ｂを引っ張り操作しても、係止部１４ａの移動が規制手段Ｃ１の規制範囲Ｃ１ａ、Ｃ１ｂによって規制されるようになっている。
【００３１】
しかして、載置手段１が第２位置Ｓａに位置するときは、操作手段１４のレバー部１４ｂを操作しない状態で単に上方に移動させることにより、載置手段１を第１位置Ｐａまで移動させることができる。また、載置手段１が第１位置Ｐａに位置するときは、載置手段１（枠体２）を一旦持ち上げ、係止部１４ａを規制手段Ｃ１の規制範囲Ｃ１ａ、Ｃ１ｂより上方の位置とした後、レバー部１４ｂを引っ張り操作すれば、ボス部Ｂ１との係止が解かれるので、載置手段１を第２位置Ｓａまで移動させることができる。
【００３２】
さらに、本実施形態に係る規制手段Ｃ１には、干渉防止部Ｃ１ｃが一体形成されている。かかる干渉防止部Ｃ１ｃは、規制手段Ｃ１の一部をプレス等にて成形して得られたテーパ状の部位（下方から上方に向かって上り勾配の部位）から成り、載置手段１が上方（上側のボス部Ｂ１）に向かって移動する際、操作手段１４の係止部１４ａと当接して当該係止部１４ａを解除位置（図９、１１中左側）に向かって移動させ得るものである。
【００３３】
具体的には、載置手段１を上方に向かって移動する過程において、係止部１４ａが干渉防止部Ｃ１ｃに至り、解除位置に向かう方向に押圧されるとともに、その状態から更に載置手段１を上方に移動させると、干渉防止部Ｃ１ｃのテーパ面の傾斜角度に応じて係止部１４ａも更に解除位置に向かって移動する。そして、係止部１４ａがボス部Ｂ１の突端よりも解除位置側（図１１中左側）に位置すると、干渉防止部Ｃ１ｃの終端に至るとともに、係止部１４ａがボス部Ｂ１より上方に位置するようになっている。これにより、操作手段１４が上方に移動する際、係止部１４ａにおける切欠き１４ａａ、１４ａｂが形成されない側にボス部Ｂ１が干渉してしまうのを防止することができるとともに、係止部１４ａの切欠き１４ａａ、１４ａｂにてボス部Ｂ１に係止させることができる。
【００３４】
さらに、本実施形態においては、図１４に示すように、載置手段１が所定高さに固定された状態で柱部（Ｈ１〜Ｈ５）との間の隙間（枠体２を構成する側板部２ａと柱部（Ｈ１〜Ｈ５）との間の隙間）により生じるガタを防止するガタ防止手段１５を具備している。すなわち、枠体２を構成する側板部２ａは、既述の如く、その幅寸法が柱部（Ｈ１〜Ｈ５）における案内部Ｈ２ａの幅寸法より小さく設定された幅狭部２ａａを有しており、当該側板部２ａと案内部Ｈ２ａとの間の隙間にガタ防止手段１５が位置しているのである。
【００３５】
より具体的には、本実施形態に係るガタ防止手段１５は、枠体２の側板部２ａに形成されたもので、図１３に示すように、側板部２ａの所定部位（幅狭部２ａａ）に取り付けられる揺動軸１５ｂを中心として揺動可能なアーム部１５ａと、アーム部１５ａに形成されるとともに、操作者が把持し得る把持部１５ａａと、アーム部１５ａに形成された突出部１６と、突出部１６の突端側に形成されたテーパ面から成る楔状部位１６ａとから主に構成されている。
【００３６】
アーム部１５ａ、把持部１５ａａ及び突出部１６は、所定の樹脂材を成形して成る樹脂成形部品から成るものとされている。しかして、突出部１６は、側板部２ａから案内部Ｈ２ａに向かって突出形成されており、その突端側の一部である楔状部位１６ａを枠体２の側板部２ａと柱部（Ｈ１〜Ｈ５）の案内部Ｈ２ａとの間に挿入させることによりガタを防止するよう構成されている。
【００３７】
本実施形態に係るガタ防止手段１５によれば、突出部１６の突端側に形成された楔状部位１６ａを枠体２の側板部２ａと柱部（Ｈ１〜Ｈ５）の案内部Ｈ２ａとの間に挿入させるので、楔効果によって枠体２を柱部（Ｈ１〜Ｈ５）に強固且つ確実に固定させることができ、載置手段１を任意高さで固定させた状態において枠体２に生じるガタをより確実に防止することができる。
【００３８】
特に、本実施形態に係るガタ防止手段１５は、所定の弾性部材（本実施形態においては硬質の樹脂材）を成形して成る（樹脂成形部品から成る）から成るので、楔状部位１６ａを枠体２の側板部２ａと柱部（Ｈ１〜Ｈ５）の案内部Ｈ２ａとの間に挿入させることにより、楔効果に加えて、弾力による復元力（反発力）を付与させることができ、より一層確実に載置手段１を任意高さで固定させた状態において枠体２に生じるガタを防止することができる。なお、所定の樹脂材に代えて、他の弾性部材から成るものとしてもよく、或いは弾性部材に代えて、他の材料から成る部材（所定の金属製部品等）であってもよい。なお、金属製部品から成るものとすれば、弾力による効果について乏しいものの、楔効果をより確実に発揮させることができる。
【００３９】
なお、本実施形態に係る突出部１６は、側板部２ａの所定部位に取り付けられる揺動軸１５ｂを中心として揺動可能なアーム部１５ａに形成されるとともに、図１５に示すように、操作者が把持部１５ａａを把持しつつ当該アーム部１５ａを揺動操作することにより、突出部１６（楔状部位１６ａ）が案内部Ｈ２ａと当接する当接位置（図中２点鎖線で示した位置）と、当該突出部１６（楔状部位１６ａ）が案内部Ｈ２ａから離間した離間位置（図中実線で示した位置）との間で移動可能とされている。
【００４０】
すなわち、載置手段１を柱部（Ｈ１〜Ｈ５）に沿って上下に移動させる際には、突出部１６（楔状部位１６ａ）を離間位置として枠体２の円滑な移動を行わせるとともに、載置手段１を所定位置にて固定させた際（操作手段１４の係止部１４ａをボス部Ｂ１又はボス部Ｂ２に係止させた際）には、アーム部１５ａを揺動操作して突出部１６（楔状部位１６ａ）を当接位置とすることにより、枠体２に生じるガタを防止するのである。なお、突出部１６が当接位置に至る過程において、弾力により撓み得るので、アーム部１５ａの揺動操作をより円滑かつ容易に行わせることができる。
【００４１】
なお、本実施形態に係る島設備は、載置手段１の移動許容範囲を超えて上方へ移動するのを規制（すなわち、載置手段１が第１位置Ｐａから更に上方に移動してしまうのを規制）するストッパ１７を具備している。かかるストッパ１７は、図６、１６、１７に示すように、柱部Ｈ２に突出形成され、載置手段１が第１位置Ｐａから更に上方に移動（移動許容範囲を超えて上方へ移動）しようとした際、側板部２ａの所定位置（本実施形態においては段部２ａｃ）に干渉することで当該載置手段１の更なる上方への移動を規制するものとされている。
【００４２】
また、既述したように、本実施形態に係る載置手段１を構成する側板部２ａは、柱部Ｈ２に対して幅寸法が異なる幅狭部２ａａと幅広部２ａｂとを有し、その幅狭部２ａａと幅広部２ａｂとの間の境界に形成された段部２ａｃがストッパ１７と干渉し得るよう構成されている。このストッパ１７は、例えば略円筒状に成形された樹脂製部材から成るものとされており、ボルト等の汎用的な締結手段にて柱部Ｈ２の所定部位（図１６、１７参照）に固定されている。
【００４３】
以上のように、本実施形態に係る載置台３は、パチンコ遊技機Ｐを載置させる際は、固定板部２ｄに対して前後方向第１位置Ｐｂに固定されるとともに、柱部（Ｈ１〜Ｈ５）に対して上側の位置である第１位置Ｐａに固定され、かつ、スロットマシンＳを載置させる際は、固定板部２ｄに対して前後方向第２位置Ｓｂに固定されるとともに、柱部（Ｈ１〜Ｈ５）に対して下側の位置である第２位置Ｓａに固定されるのである。そして、前後方向第１位置Ｐｂの方が前後方向第２位置Ｓｂより前方の位置（遊技者側に突出した位置）に設定されているとともに、第１位置Ｐａの方が第２位置Ｓａより高い位置に設定されている。
【００４４】
また、本実施形態に係る載置手段１は、図１に示すように、１つの載置台３に複数のパチンコ遊技機Ｐ又は複数のスロットマシンＳ（本実施形態においては、２台のパチンコ遊技機Ｐ又は２台のスロットマシンＳ）を載置させるように設定されている。すなわち、載置台３を遊技機が複数台設置できる幅寸法とすることで、１つの載置台３に同種の遊技機（パチンコ遊技機Ｐ又はスロットマシンＳ）を複数設置することができ、島設備に必要とされる柱部の数を低減させることができるのである。なお、本実施形態においては、１つの載置台３に対して同種の遊技機が２台設置されているが、３台以上の同種の遊技機を設置するようにしてもよい。
【００４５】
しかるに、本実施形態に係る島設備においては、同種の遊技機を複数台設置可能な載置手段１に加え、図２０に示すように、遊技機を１台載置可能な載置手段１’（一対の側板部２’ａと、下板部２’ｃ及び上板部２’ｂと、固定板部２’ｄとを有する載置手段１’）が取り付けられている。かかる載置手段１’は、載置台３’の幅寸法が遊技機１台分に設定された点においては幅寸法が遊技機２台分に設定された載置手段１と相違するものの、その他においては、上記した載置手段１と同様の構成及び機能を有するものである。
【００４６】
回収手段４は、一方の島端から他方の島端に向かって延設され、パチンコ遊技機Ｐ及びスロットマシンＳから排出される遊技球及びメダルを混在させつつ回収可能なもので、図１に示すように、島設備の長手方向に沿って延設された搬送コンベアにて構成されている。かかる回収手段４は、図２１〜２５に示すように、搬送ベルトｃ１と、搬送ベルトｃ１を駆動させる駆動手段としてのモータＭ１と、搬送ベルトｃ１を無端状に懸架する駆動ローラＰ１及び従動ローラＰ２とを有して構成されている。
【００４７】
搬送ベルトｃ１は、樹脂部品を長手方向に複数組み合わせた無端状部材から成るもので、図２３に示すように、その搬送面には、搬送部ｅ及び孔部ｇが形成されている。そして、パチンコ遊技機Ｐ及びスロットマシンＳから排出されて搬送ベルトｃ１に至った遊技球ｙ及びメダルｑは、同図に示すように、当該搬送ベルトｃ１の回動方向に搬送されることとなる。また、搬送ベルトｃ１は、駆動ローラＰ１と従動ローラＰ２とに懸架された状態において、遊技球（遊技媒体）の搬送方向に回動する往動部α（上方に位置する部位）と当該搬送方向とは逆方向に回動する復動部β（下方に位置する部位）とを有している。
【００４８】
板材ｆは、搬送ベルトｃ１の延設方向に沿って配設され、当該搬送ベルトｃ１における往動部αの下面を支持するためのもので、当該板材ｆの上面ｆａにおいて搬送ベルトｃ１の往動部αが摺動し得るよう構成されている。なお、本実施形態に係る板材ｆは、搬送ベルトｃ１の延設方向に亘って複数配設されるとともに、隣接する板材ｆの間には隙間が形成されている。これにより、搬送ベルトｃ１（往動部αの下面）と板材ｆの上面ｆａとの間に入り込んだ遊技球（遊技媒体）を当該隙間から下方に落下させることができる。
【００４９】
駆動ローラＰ１は、搬送ベルトｃ１の一端側に配設され、モータＭ１の出力軸Ｍ１ａと連結されて当該モータＭ１の駆動力を搬送ベルトｃ１に伝達し得るもので、本実施形態においては、図２４に示すように、周方向に複数の凸部Ｐ１ａが形成されたスプロケットから成る。なお、本実施形態に係る凸部Ｐ１ａは、駆動ローラＰ１の外周面において周方向に亘って２列形成されており、当該駆動ローラＰ１が回転して各凸部Ｐ１ａが搬送ベルトｃ１の孔部ｇに順次嵌合することで、モータＭ１の駆動力が伝達され得るようになっているが、周方向に亘って１列、或いは３列以上形成されたものであってもよい。
【００５０】
従動ローラＰ２は、搬送ベルトｃ１の他端側（駆動ローラＰ１とは反対側）に配設されて駆動ローラＰ１との間で当該搬送ベルトｃ１を懸架させるもので、本実施形態においては、図２５に示すように、側面が平滑な（すなわち、凸部又は凹部等が形成されない）円筒状部材から成る。しかして、搬送ベルトｃ１が回動すると、その往動部αが駆動ローラＰ１に向かって移動するとともに、復動部βが従動ローラＰ２に向かって移動するようになっている。
【００５１】
ここで、本実施形態に係る回収手段４は、図２に示すように、島内の幅方向に対して略中央で延設されている。すなわち、回収手段４は、島設備の一方の面に設置された遊技機（例えば、同図に示すように、左側の面に設置されたパチンコ遊技機Ｐ）との間の離間寸法と、他方の面に設置された遊技機（例えば、同図に示すように、右側の面に設置されたスロットマシンＳ）との間の離間寸法とが略同一とされつつ島設備の長手方向に延設されているのである。
【００５２】
回収手段４の上部には、図２に示すように、パチンコ遊技機Ｐから排出された遊技球を回収手段４まで案内する遊技球案内手段６と、スロットマシンＳから排出されたメダルを回収手段４まで案内するメダル案内手段８とが配設されている。かかる遊技球案内手段６は、パチンコ遊技機Ｐにおける排出部から排出された遊技球を受けつつ回収手段４まで案内する成形品から成るとともに、メダル案内手段８は、載置手段３の切欠きｋに取り付けられ、スロットマシンＳにおける排出部から排出されたメダルを受けつつ回収手段４まで案内する成形品から成る。
【００５３】
本実施形態に係る島設備の一方の端部（遊技球及びメダルが搬送される側）には、図１に示すように、補給装置Ｇが設置されている。かかる補給装置Ｇは、図２６に示すように、分別手段５と、遊技球揚送手段９と、メダル揚送手段１０と、玉磨き手段１８と、遊技球補給用タンク１９と、メダル補給用タンク２０とを有して構成されている。なお、同図中符号２１は、隣接する島設備との間でメダルを移送させるためのメダル渡り手段を示している。
【００５４】
ここで、分別手段５は、回収手段４で回収された遊技球とメダルとを分別し得るもので、図２７、２８に示すように、上面に遊技球及びメダルを載置可能とされ、遊技球が落下可能、且つ、メダルが落下不可能な落下孔２２ａを有した円板状のディスク２２と、ディスク２２を回転させ得る駆動源としてのモータ２３と、ディスク２２が回転した際、その遠心力で当該ディスク２２の外周側に移動したメダルが通過可能、且つ、遊技球が通過不可能な通過孔２５ａが形成された収容手段２５とを有して構成されている。
【００５５】
具体的には、ディスク２２は、収容手段２５内に配設されるとともに、その中心部２４がモータ２３の出力軸と連結されており、当該モータ２３の駆動により中心部２４を中心として収容手段２５内にて回転し得るよう構成されている。また、落下孔２２ａは、その上面から裏面に貫通した孔から成り、上面に載置された遊技球を落下可能とされつつメダルを落下させない大きさ及び寸法とされている。通過孔２５ａは、収容手段２５の一部に形成された孔から成り、ディスク２２の回転で外周側に移動したメダルを通過可能とされつつ遊技球を通過させない大きさ及び寸法とされている。
【００５６】
さらに、ディスク２２の下方には、落下孔２２ａから落下した遊技球を受けて分別手段５から排出させるための遊技球排出路２６が形成されているとともに、収容手段２５の外側の位置であって通過孔２５ａが形成された位置には、通過孔２５ａを通過したメダルを分別手段５から排出させるためのメダル排出路２７が形成されている。しかして、回収手段４にて回収された遊技球及びメダルが収容手段２５に投入されるよう構成されており、モータ２３を駆動してディスク２２を回転させておくことにより、遊技球が落下孔２２ａを落下して遊技球排出路２６から排出されるとともに、メダルが通過孔２５ａを通過してメダル排出路２７から排出されるようになっている。
【００５７】
一方、図２６に示すように、遊技球排出路２６は玉磨き手段１８まで延設されており、当該遊技球排出路２６を通って排出された遊技球が玉磨き手段１８に至るよう構成されている。この玉磨き手段１８は、遊技球の表面を磨くためのもので、表面が磨かれた遊技球は、遊技球揚送手段９に移送されて上方に向かって揚送されるようになっている。また、メダル排出路２７はメダル揚送手段１０まで延設されており、当該メダル排出路２７を通って排出されたメダルが上方に向かって揚送されるようになっている。なお、遊技球揚送手段９の上端部には、遊技球補給用タンク１９が配設されており、揚送された遊技球が遊技球補給用タンク１９にて収容されるとともに、メダル揚送手段１０の上端部には、メダル補給用タンク２０が配設されており、揚送されたメダルがメダル補給用タンク２０にて収容されるよう構成されている。
【００５８】
遊技球揚送手段９は、上述したように、分別手段５で分別されて遊技球排出路２６から排出された遊技球を揚送するものであり、メダル揚送手段１０は、分別手段５で分別されてメダル排出路２７から排出されたメダルを揚送するためのものである。そして、これら遊技球揚送手段９及びメダル揚送手段１０にて揚送された遊技球及びメダルは、それぞれ遊技球補給手段１１及びメダル補給手段１２に至るようになっている。
【００５９】
遊技球補給手段１１及びメダル補給手段１２は、島設備の上部において当該島設備の長手方向に沿って延設され、遊技球揚送手段９で揚送されて遊技球補給用タンク１９に収容された遊技球、及びメダル揚送手段１０で揚送されてメダル補給用タンク２０に収容されたメダルを搬送可能とされたもので、図２９、３０に示すように、左右に並設された搬送コンベアから成る。すなわち、図３０に示すように、搬送コンベアを構成する本体ｆ１の略中央に仕切り部材ｆ２を取り付けるとともに、当該仕切り部材ｆ２で隔成された同図右側の部位を遊技球を搬送するための遊技球補給手段１１とし、同図左側の部位をメダルを搬送するためのメダル補給手段１２としているのである。
【００６０】
遊技球補給手段１１は、パチンコ遊技機Ｐに遊技球を補給するためのもので、図１に示すように、モータＭ３の出力軸と連結された駆動プーリＰ５と従動プーリＰ６との間に懸架されつつ回動可能な無端状の搬送ベルト１１ａを有して構成されている。また、本体ｆ１の側面（図２９、３０中右側の側面）には、当該図２９、３０に示すように、延設部ｆ３が形成されており、当該延設部ｆ３の縁部には側壁が立設されており、その側壁には、図２９に示すように、複数の開口部ｔ１が形成されている。
【００６１】
かかる開口部ｔ１は、遊技機（パチンコ遊技機Ｐ及びスロットマシンＳ）が設置される部位に対応した位置にそれぞれ形成されており、パチンコ遊技機Ｐが設置される部位に対応した開口部ｔ１には、パチンコ遊技機Ｐに遊技球を案内する第１案内手段Ａ１が取り付け可能とされている。この第１案内手段Ａ１は、図３１に示すように、パチンコ遊技機Ｐまで延設された案内部材Ｄ１（例えば蛇腹状部材）が取り付けられており、延設部ｆ３を転がった遊技球を受け得るとともに、その遊技球を案内部材Ｄ１を介してパチンコ遊技機Ｐまで案内し得るよう構成されている。
【００６２】
メダル補給手段１２は、スロットマシンＳにメダルを補給するためのもので、図１に示すように、モータＭ３の出力軸と連結された駆動プーリＰ５と従動プーリＰ６との間に懸架されつつ回動可能な無端状の搬送ベルト１２ａを有して構成されている。すなわち、遊技球補給手段１１及びメダル補給手段１２は、駆動源としてのモータＭ３を共用しつつそれぞれ独立した搬送ベルト１１ａ、１２ａを有しているのである。なお、遊技球補給手段１１及びメダル補給手段１２のそれぞれにモータ等の駆動源を配設し、搬送ベルト１１ａ、１２ａをそれぞれ回動させるようにしてもよい。
【００６３】
また、本体ｆ１の側面（図２９、３０中左側の側面）には側壁が立設されており、その側壁には、図２９に示すように、複数の開口部ｔ２が形成されている。かかる開口部ｔ２は、遊技機（パチンコ遊技機Ｐ及びスロットマシンＳ）が設置される部位に対応した位置にそれぞれ形成されており、パチンコ遊技機Ｐが設置される部位に対応した開口部ｔ２には、蓋部Ｉが取り付けられるとともに、スロットマシンＳが設置される部位に対応した開口部ｔ２には、スロットマシンＳにメダルを案内する第２案内手段Ａ２が取り付け可能とされている。
【００６４】
この第２案内手段Ａ２は、図３２に示すように、スロットマシンＳまで延設された案内部材Ｄ２（例えば蛇腹状部材）が取り付けられており、振り分け手段Ｅにて振り分けられたメダルを受け得るとともに、そのメダルを案内部材Ｄ２を介してスロットマシンＳまで案内し得るよう構成されている。かかる振り分け手段Ｅは、振り分け板材Ｅａと、通電により作動して振り分け板材Ｅａを上下動させるソレノイドＥｂとを有しており、当該振り分け板材ＥａがソレノイドＥｂの作動により下降（図３２における２点鎖線で示す状態から実線で示す状態に移動）すると、搬送ベルト１２ａに近接し、当該搬送ベルト１２ａにて搬送されるメダルが第２案内手段Ａ２側に至るようになっている。しかして、所望の振り分け手段ＥにおけるソレノイドＥｂを選択的に通電することにより、搬送ベルト１２ａにて搬送される過程のメダルを第２案内手段Ａ２によりスロットマシンＳまで案内して補給することが可能とされている。
【００６５】
上記したように、本実施形態に係る島設備においては、遊技球補給手段１１からパチンコ遊技機Ｐに遊技球を案内する第１案内手段Ａ１と、メダル補給手段１２からスロットマシンＳにメダルを案内する第２案内手段Ａ２とを有するとともに、設置される遊技機（パチンコ遊技機Ｐ又はスロットマシンＳ）に応じて第１案内手段Ａ１及び第２案内手段Ａ２が遊技球補給手段１１又はメダル補給手段１２の任意位置に設置可能とされている。
【００６６】
しかるに、遊技球補給手段１１にてパチンコ遊技機Ｐに補給された遊技球は、当該パチンコ遊技機Ｐにて遊技媒体として使用された後、回収手段４にて再び回収されることとなり、島設備内において循環することとなる。また、メダル補給手段１２にてスロットマシンＳに補給されたメダルは、当該スロットマシンＳにて遊技媒体として使用された後、回収手段４にて再び回収されることとなり、島設備内において循環することとなる。
【００６７】
上記実施形態に係る島設備によれば、一方の島端から他方の島端に向かって延設され、パチンコ遊技機Ｐ及びスロットマシンＳから排出される遊技球及びメダルを混在させつつ回収可能な回収手段４と、回収手段４で回収された遊技球とメダルとを分別し得る分別手段５とを具備したので、遊技球とメダルとを混在させて回収することができるとともに、遊技球及びメダルを一つの回収手段で回収することができる。したがって、解体することなくパチンコ遊技機Ｐ及びスロットマシンＳのどちらも設置することができるとともに、簡易な構成で遊技球及びメダルを回収することができる。
【００６８】
また、本実施形態に係る回収手段４は、島内の幅方向に対して略中央で延設されたので、パチンコ遊技機Ｐ又はスロットマシンＳの何れが設置された場合であっても、当該パチンコ遊技機Ｐ及びスロットマシンＳのそれぞれから排出された遊技球及びメダルを回収手段４にて確実かつ円滑に回収させることができる。さらに、本実施形態によれば、分別手段５で分別された遊技球を揚送する遊技球揚送手段９と、該遊技球揚送手段９で揚送された遊技球をパチンコ遊技機Ｐに補給する遊技球補給手段１１と、分別手段５で分別されたメダルを揚送するメダル揚送手段１０と、該メダル揚送手段１０で揚送されたメダルをスロットマシンＳに補給するメダル補給手段１２とを具備したので、分別手段５で分別された遊技球及びメダルをそれぞれ確実且つ円滑にパチンコ遊技機Ｐ及びスロットマシンＳに補給することができる。
【００６９】
またさらに、本実施形態によれば、分別手段５は、上面に遊技球及びメダルを載置可能とされ、遊技球が落下可能、且つ、メダルが落下不可能な落下孔２２ａを有した円板状のディスク２２と、該ディスク２２を回転させ得るモータ２３（駆動源）と、ディスク２２が回転した際、その遠心力で当該ディスク２２の外周側に移動したメダルが通過可能、且つ、遊技球が通過不可能な通過孔２５ａとを具備したので、遊技球とメダルとを混在させて回収することができるとともに、遊技球及びメダルを一つの回収手段４で回収することができ、且つ、ディスク２２によって遊技球とメダルとを効率よく分別することができる。したがって、解体することなくパチンコ遊技機Ｐ及びスロットマシンＳのどちらも設置することができるとともに、簡易な構成で遊技球及びメダルを回収した後、効率よく遊技球とメダルとを分別することができる。また、本実施形態によれば、落下孔２２ａから落下した遊技球を排出する遊技球排出路２６と、通過孔２５ａを通過したメダルを排出するメダル排出路２７とを具備したので、分別手段５で分別した遊技球及びメダルを確実に振り分けることができる。
【００７０】
なお、本実施形態においては、遊技機を載置可能な載置台３を有するとともに、該載置台３に載置される遊技機に応じて上下方向に移動可能とされ、かつ、所定高さにて固定可能とされた載置手段１を具備したので、パチンコ遊技機Ｐ及びスロットマシンＳを低コストにて任意に設置することができるとともに、島設備を解体することなくパチンコ遊技機Ｐ及びスロットマシンＳのどちらも設置することができる。また、パチンコ遊技機Ｐの設置及びスロットマシンＳの設置を共用し得るので、パチンコ遊技機ＰとスロットマシンＳとを混合させつつそれぞれを規定の設置状態にて容易かつ円滑に設置することができる。
【００７１】
特に、本実施形態に係る載置台３は、パチンコ遊技機Ｐが載置された状態の第１位置Ｐａと、スロットマシンＳが載置された状態の第２位置Ｓａとの間で移動可能とされるとともに、当該第１位置Ｐａの方が第２位置Ｓａより高い位置に設定されたので、パチンコ遊技機ＰとスロットマシンＳとを混合させつつそれぞれを規定の設置状態にて円滑かつ確実に設置することができる。
【００７２】
さらに、本実施形態において、パチンコ遊技機Ｐの方がスロットマシンＳより上方の位置に載置されたので、パチンコ遊技機ＰとスロットマシンＳとを混合させつつそれぞれを規定の設置状態にて容易かつ円滑に設置することができる。すなわち、島設備に設置される遊技機においては、パチンコ遊技機Ｐに対する操作位置（ハンドル位置）はスロットマシンＳに対する遊技位置（押圧ボタン位置）より高い位置にあり、パチンコ遊技機Ｐの方がスロットマシンＳより上方の位置にて遊技されるので、その遊技位置に応じた規定の設置状態とすることができるのである。
【００７３】
以上、本実施形態について説明したが、本発明はこれに限定されるものではなく、載置手段１について、遊技機を載置可能とされるとともに載置される遊技機に応じて上下方向に移動して所定高さに固定可能な載置台３を有するものであれば足り、例えば第１位置と第２位置との間の他、他の位置にも移動可能な載置台を有するものとしてもよい。なお、本実施形態に係る載置台３は、載置される遊技機に応じて前後方向に移動して所定位置にて固定可能とされているが、前後方向に移動せず、専ら上下方向に移動して所定高さに固定可能なものとしてもよい。
【産業上の利用可能性】
【００７４】
一方の島端から他方の島端に向かって延設され、前記パチンコ遊技機及びスロットマシンから排出される遊技球及びメダルを混在させつつ回収可能な回収手段と、回収手段で回収された遊技球とメダルとを分別し得る分別手段とを具備するとともに、分別手段は、上面に遊技球及びメダルを載置可能とされ、遊技球が落下可能、且つ、メダルが落下不可能な落下孔を有した円板状のディスクと、該ディスクを回転させ得る駆動源と、ディスクが回転した際、その遠心力で当該ディスクの外周側に移動したメダルが通過可能、且つ、遊技球が通過不可能な通過孔とを具備した島設備であれば、外観形状が異なるもの或いは他の機能が付加されたもの等にも適用することができる。
【符号の説明】
【００７５】
１  載置手段
２  枠体
３  載置台
４  回収手段
５  分別手段
６  遊技球案内手段
８  メダル案内手段
９  遊技球揚送手段
１０  メダル揚送手段
１１  遊技球補給手段
１２  メダル補給手段
１３  遊技機用椅子
１４  操作手段
１５  ガタ防止手段
１６  突出部
１７  ストッパ
１８  玉磨き手段
１９  遊技球補給用タンク
２０  メダル補給用タンク
２１  メダル渡り手段
２２  ディスク
２２ａ  落下孔
２３  モータ（駆動源）
２４  中心部
２５  収容手段
２５ａ  通過孔
２６  遊技球排出路
２７  メダル排出路
Ｐ  パチンコ遊技機
Ｓ  スロットマシン
【図１】
2015123258.tif 000003
【図２】
2015123258.tif 000004
【図３】
2015123258.tif 000005
【図４】
2015123258.tif 000006
【図５】
2015123258.tif 000007
【図６】
2015123258.tif 000008
【図７】
2015123258.tif 000009
【図８】
2015123258.tif 000010
【図９】
2015123258.tif 000011
【図１０】
2015123258.tif 000012
【図１１】
2015123258.tif 000013
【図１２】
2015123258.tif 000014
【図１３】
2015123258.tif 000015
【図１４】
2015123258.tif 000016
【図１５】
2015123258.tif 000017
【図１６】
2015123258.tif 000018
【図１７】
2015123258.tif 000019
【図１８】
2015123258.tif 000020
【図１９】
2015123258.tif 000021
【図２０】
2015123258.tif 000022
【図２１】
2015123258.tif 000023
【図２２】
2015123258.tif 000024
【図２３】
2015123258.tif 000025
【図２４】
2015123258.tif 000026
【図２５】
2015123258.tif 000027
【図２６】
2015123258.tif 000028
【図２７】
2015123258.tif 000029
【図２８】
2015123258.tif 000030
【図２９】
2015123258.tif 000031
【図３０】
2015123258.tif 000032
【図３１】
2015123258.tif 000033
【図３２】
2015123258.tif 000034